(57)【要約】      （修正有）【課題】本発明は、水中ポンプモータ及びポンプの回転軸の軸支持装置を提供する。【解決手段】モータ１またはポンプ２のケーシング２１には固定され、モータ１またはポンプ２の回転軸２２を支持しながら、回転させるように設けられる軸支持装置３であり、軸支持装置３は、ケーシング２１に固定され、ボール軸受３２とスラスト軸受３３を備えてなる軸受台３１が設けられ、軸受の内孔には、回転軸２２が入り込むためのブッシュ３４が設けられ、回転軸２２の先端及びブッシュ３４の端面に締め付けられている調整ネジブッシュ３５が螺合され、それによって、回転軸２２は軸受の上を回転されるように設けられ、回転軸２２の上下位置が調整可能なうえ、ボール軸受３２とスラスト軸受３３が回転軸２２などの部品からの重い荷重を受け、水中ポンプ２の使用寿命を延ばすように設けられている。【選択図】図２
2020084803.tif 000002
【特許請求の範囲】
【請求項１】
ケーシングと、
前記ケーシングの下端に設けられ、回転軸が突設されたモータと、
前記モータの下方に設けられ、前記ケーシングの下端に設けられた吸水口と、
前記ケーシングの上端に設けられ、回転軸が突設されたポンプと、
前記モータの回転軸又は前記ポンプの回転軸のいずれか一方もしくは両方を同時に支持しながら回転可能に軸支する軸支持装置と、を備え、
前記軸支持装置は、前記ケーシングに固定され、ボール軸受とスラスト軸受を備えてなる軸受台を有し、
前記ボール軸受及び前記スラスト軸受の内孔には、前記回転軸が嵌め込まれるためのブッシュと、前記ブッシュの端面にはネジで締め付けられている調整ネジブッシュとが設けられ、
前記調整ネジブッシュと前記回転軸の先端が螺合されるように設けられることを特徴とする水中ポンプモータ及びポンプの回転軸の軸支持装置。
【請求項２】
前記軸支持装置の軸受台は、前記モータと前記ポンプの二つの間のケーシング内に固定され、
前記調整ネジブッシュと前記ポンプの回転軸の上端は螺合され、
前記ブッシュの上端に設けられ、前記ブッシュの上端から突出する溝付軸部と、前記モータの回転軸の下端に設けられた溝付軸部と、前記溝付軸部同士を連結するためのカップリングと、が設けられることを特徴とする請求項１に記載の水中ポンプモータ及びポンプの回転軸の軸支持装置。
【請求項３】
前記軸支持装置の軸受台は、モータのケーシングの上端に設けられ、上蓋で覆うように密封固定され、該調整ネジブッシュとモータの回転軸の上端は螺合され、ブッシュの上端に設けられ、軸受台とブッシュ内の間には、軸封ユニットが緊迫設置されていることを特徴とする請求項１に記載の水中ポンプモータ及びポンプの回転軸の軸支持装置。
【請求項４】
前記軸支持装置の軸受台は、ポンプのケーシングの下端にある吸水口に固定され、
前記調整ネジブッシュとポンプの回転軸の下端は螺合され、
前記ブッシュの下端に設けられ、軸受台の上端には、上蓋が取り付けられ、上蓋とブッシュの間には軸封ユニットが緊迫設置され、軸受台の下端には底蓋で密封されるように設けられることを特徴とする請求項１に記載の水中ポンプモータ及びポンプの回転軸の軸支持装置。
【発明の詳細な説明】
【技術分野】
【０００１】
本発明は、下方にある水中ポンプのポンプ、ポンプの上端にあるモータ、その両者の間にある軸吊式の軸支持装置を備えてなり、モータとポンプの回転軸が該軸支持装置に設けられ、主な負荷は軸支持装置が受けるように設けられ、羽根車軸は軸支持装置によって、羽根車が正確に取り付けられやすく、モータとポンプを分離できるメリットがあるものに関する。
【背景技術】
【０００２】
従来の水中 (深井戸用) ポンプは、モータとポンプを備えてなる縦タイプであり、両者のケーシングが連結または分離できるほかに、両者のモータ軸と羽根車軸との間は更に、カップリングで連結され、簡単に取外して修理したり、交換したりするのが可能なほかに、ポンプは、多段の羽根車組が連結してなり、該羽根車組の段数が多くほど、揚水能力が高くなる。
【０００３】
よく見られる前記ポンプのモータの上端には、該ポンプが連接し、モータとポンプの連接したところには、フィルターの吸水口が設けられ、モータがポンプ内の羽根車を回転させるように動かして、水を揚げ、それから、水が吸水口に引き込まれ、ポンプの上端にある吐水口から排出されることになっている。
【０００４】
しかし、吸水口はモータの上方にあり、モータはプリセットされた高さにあるため、外部の水を該吸水口に、うまく吸込ませるように、水位が少なくとも、吸水口より高いところに設けられ、即ち、水面の高さがモータの高さより高くなってから、ポンプが水を揚げることになっており、水位が吸水口の高さより低くなると、ポンプの水揚げは継続できず、水揚げ待ちのところに大量の水が溜まり、引き上げられないことから、業者は上述した問題を改善するため、ポンプ全体は横置きに、該吸水口の高さを低くし、水を揚げるように設けられ、しかし、本来の縦タイプのポンプ及びその内部構成には、機器部品の重量及び逆スラストを受けるために、軸方向のスラスト支持軸が設けられ、横置きにした場合、その内部構成部品は、負荷が横方向に働くスラストとなり、本来の設計負荷に一致しないため、損壊などが発生しやすく、水中ポンプの使用寿命が短くなる。 
【０００５】
そこで、上述した問題を改善するため、例えば、台湾特許公告番号500188（特許文献１）は、ポンプは下方に、モータはポンプの上方に、吸水口はポンプの最下方に設けられてなり、該モータの軸と羽根車の軸は同じ回転軸に設けられ、即ち、モータとポンプは一体化され、二つに分離できず、それぞれ取外して修理したり交換したりできず、部分の保守点検または交換は、他の部分も巻き込まれ、保守点検が面倒な作業になる。 
【０００６】
そして、羽根車及びポンプのケーシングの内壁との間は、衝突や摩擦が生じないように、適当な隙間を開けるように設けられ、そこで、羽根車が回転して、水を吸い込むように設けられるが、モータ軸は羽根車軸でもあり、羽根車がモータ軸の正しい位置に設けられてから、初めて、ポンプのケーシングの内壁との最適な配置に設けられるようになり、その配置は一回で位置付けが決まり、調整できないのである。 
【０００７】
なお、吸込むという揚程を変更するとき、それに応じて、モータ軸の長さをも変更する必要があるため、そこで、製造業者に製造時、材料の手配や在庫が困難なうえ、使用者がポンプの揚程を増減するにも、それが難しい。
【先行技術文献】
【特許文献】
【０００８】
【特許文献１】台湾特許公告番号５００１８８号
【発明の概要】
【発明が解決しようとする課題】
【０００９】
それゆえ、上述したように、従来の水中ポンプの吸水口が高くて、水を吸込むことができず、または、ポンプの吸水口が下端に設けられても、モータとポンプ間の保守点検が困難という問題を改善するため、本発明は、ケーシングに固定され、モータまたはポンプの回転軸を支持しながら、回転させるように設けられ、ボール軸受とスラスト軸受の内孔には回転軸が入り込み、嵌め込まれるためのブッシュが設けられ、回転軸の先端及びブッシュの端面に締め付けられている調整ネジブッシュが螺合され、それによって、ブッシュに連接する回転軸は、正しい取付位置に調整でき、回転軸からの重力負荷は前記軸受が受けるように設けられ、回転軸の支持箇所が簡単に損壊せず、水中ポンプの使用寿命が延びるという軸支持装置を提供する。
【課題を解決するための手段】
【００１０】
本発明の問題を解決するための技術手段として、モータの下端には、下端に吸水口があるポンプが連接し、モータのケーシングには、回転軸が突出され、ポンプのケーシングにも同じく回転軸が突出され、そして、モータまたはポンプの回転軸の何れかの一つを支持し、または両者を同時に支持しながら、回転させるための軸支持装置が設けられ、該軸支持装置は、ケーシングにある軸受台に固定され、ボール軸受とスラスト軸受を備えてなり、ボール軸受とスラスト軸受の内孔には回転軸が入り込み、嵌め込まれるためのブッシュ、ブッシュの端面にはネジで締め付けられ、回転軸の先端と螺合するための調整ネジブッシュが設けられることを特徴とする。 
【００１１】
該軸支持装置の軸受台は、モータとポンプの二つのケーシングの間に固定され、調整ネジブッシュとポンプの回転軸の上端は螺合され、ブッシュの上方に設けられ、モータの回転軸の下端及びブッシュの上端には、溝付軸部が凸設され、両者の溝付軸部には、両者を連結するためのカップリングが嵌め込まれていることを特徴とする。
【００１２】
該軸支持装置の軸受台は、モータのケーシングの上端に設けられ、上蓋で覆うように密封固定され、該調整ネジブッシュとモータの回転軸の上端は螺合され、ブッシュの上端に設けられ、軸受台とブッシュ内の間には、軸封ユニットが緊迫設置されていることを特徴とする。
【００１３】
該軸支持装置の軸受台は、ポンプのケーシングの下端にある吸水口に固定され、該調整ネジブッシュとポンプの回転軸の下端は螺合され、ブッシュの下端に設けられ、軸受台の上端には上蓋が取り付けられ、上蓋とブッシュの間には、軸封ユニットが緊迫設置されていることを特徴とする。
【００１４】
本発明の水中ポンプモータ及びポンプの回転軸の軸支持装置は、ケーシングと、前記ケーシングの下端に設けられ、回転軸が突設されたモータと、前記モータの下方に設けられ、前記ケーシングの下端に設けられた吸水口と、前記ケーシングの上端に設けられ、回転軸が突設されたポンプと、前記モータの回転軸又は前記ポンプの回転軸のいずれか一方もしくは両方を同時に支持しながら回転可能に軸支する軸支持装置と、を備え、前記軸支持装置は、前記ケーシングに固定され、ボール軸受とスラスト軸受を備えてなる軸受台を有し、前記ボール軸受及び前記スラスト軸受の内孔には、前記回転軸が嵌め込まれるためのブッシュと、前記ブッシュの端面にはネジで締め付けられている調整ネジブッシュとが設けられ、前記調整ネジブッシュと前記回転軸の先端が螺合されるように設けられることを特徴とする。
【００１５】
上記構成において、前記軸支持装置の軸受台は、前記モータと前記ポンプの二つの間のケーシング内に固定され、前記調整ネジブッシュと前記ポンプの回転軸の上端は螺合され、前記ブッシュの上端に設けられ、前記ブッシュの上端から突出する溝付軸部と、前記モータの回転軸の下端に設けられた溝付軸部と、前記溝付軸部同士を連結するためのカップリングと、が設けられることを特徴とする。
【発明の効果】
【００１６】
それゆえ、上述した本発明の軸支持装置により、該軸支持装置にあるボール軸受とスラスト軸受は、モータとポンプの回転軸からの負荷を完全に受けるように設けられ、それと同時に、軸支持装置におけるブッシュ及び調整ネジブッシュと回転軸の連結により、モータとポンプの間は独立しながら、分離できるように組み合わせてなり、水中ポンプの使用寿命が延び、モータまたはポンプのどれかの一つの交換や保守点検が可能になり、ポンプの揚程変更も簡単に行なわれる。
【図面の簡単な説明】
【００１７】
本発明について、次の図面と実施例を合せて、更に説明する。
【００１８】
【図１】本発明における水中ポンプの外観側面図である。
【図２】本発明の軸支持装置が水中ポンプの中間部に設けられた場合の側面断面図である。
【図３】本発明の軸支持装置が水中ポンプの上端に設けられた場合の側面断面図である。
【図４】本発明の軸支持装置が水中ポンプの下端に設けられた場合の側面断面図である。
【発明を実施するための形態】
【００１９】
図1及び図2に示すように、本発明は、モータ1の下方には、下端に吸入口20、その中に羽根車を有するポンプ2が設けられ、該モータ1のケーシング11の外側は、外筒体10で覆われ、モータ1の回転軸12の下端にはケーシング11の下端が突出され、その先端に溝付軸部121が設けられ、該ポンプ2のケーシング21の上端には、該外筒体10が緊密に接し、ポンプ2の回転軸22にはケーシング21の上端が突出され、モータ1とポンプ2の二つのケーシング11,21の間には、軸支持装置3が設けられ、モータ1の回転軸12におけるケーシング11の下端の突出されたところ、及びポンプ2の回転軸22におけるケーシング11の上端の突出されたところにはどれも、軸封ユニット5が設けられ、モータ1とポンプ2の二つのケーシング11,21の間は締め付けられ、密閉状の空間に形成される。 
【００２０】
前記軸支持装置3の主要構造は、モータ1とポンプ2の二つのケーシング11,21の間に形成された密閉状の空間内に固定される 軸受台31、該軸受台31内には、ボール軸受32とスラスト軸受33が設けられ、ボール軸受32とスラスト軸受33の内孔には、ポンプ2の回転軸22が入り込み、嵌め込まれるためのブッシュ34が設けられ、更に、回転軸22に螺合状に螺合するための調整ネジブッシュ35、調整ネジブッシュ35をブッシュ34に締め付けるための固定ネジ38が設けられる。 
【００２１】
前記調整ネジブッシュ35には更に、モータ1の回転軸12の溝付軸部121に対応するために、上向きに凸設された溝付軸部351が設けられ、そして、二つの溝付軸部121,351には、カップリング4が固定され、モータ1とポンプ2の二つの回転軸12,22は、調整ネジブッシュ35とカップリング4によって連結される。 
【００２２】
それで、モータ1とポンプ2の間にある軸支持装置3は、上方のモータ1の回転軸12からの重量負荷を、スラスト軸受33が主な支持部として受けるように設けられ、ポンプ2の回転軸22は軸吊リ状に吊り上げられ、軸支持装置3によって支持され、その吊り上げられて生じられた重量負荷は同じく、主な支持部とされる該スラスト軸受33が受けるように設けられ、二つの回転軸12,22の回転負荷は主に該ボール軸受32に支持されており、モータ1とポンプ2の回転軸12,22で生じられた負荷は、該軸支持装置3に支持されることから、回転による摩損が改善され、水中ポンプの使用寿命が延びる。 
【００２３】
本軸支持装置3により、モータ1とポンプ2の間は更に、簡単に分離または組合せが可能で、それぞれの保守点検が行われ、またはポンプ2の必要な揚程に応じる羽根車の増減が可能なこと、軸支持装置3における調整ネジブッシュ35及びポンプ2の回転軸22間の螺合、調整により、該回転軸22は上昇下降して、最適な位置に上下調整できるようになり、その上にある羽根車はそれに応じて、ポンプ2内での最適なところに位置づけられ、取付の時に調整可能な利便性がある。 
【００２４】
前記軸支持装置3は、モータ1とポンプ2の間に設置されるほかに、図3に示すように、モータ1の上端にも設けられるが、その主要構造は、ボール軸受32及びスラスト軸受33を備えてなる軸受台31が設けられ、該ボール軸受32とスラスト軸受33の内孔には、モータ1の回転軸12が入り込み、嵌め込まれるためのブッシュ34が設けられ、そして、同じく、ブッシュ34の上端にあり、該回転軸12の先端に螺合するための調整ネジブッシュ35、調整ネジブッシュ35をブッシュ34に締め付けるための固定ネジ38が設けられ、該調整ネジブッシュ35と回転軸12間の螺合、調整により、該回転軸12は上昇下降して、最適な位置に上下調整できるように設けられる。 
【００２５】
前記軸受台31は更に、モータ1のケーシング11の上端に設けられ、ケーシング11の上端を覆うための上蓋13があり、軸受台31がケーシング11と上蓋13の間に緊密に設けられ、モータ2内の液体を軸受台31内に流入せず、ボール軸受32及びスラスト軸受33の回転と寿命にマイナスな影響を及ぼさないように、軸受台31内及びブッシュ34内の間には、軸封ユニット5が設けられ、それによって、ボール軸受32とスラスト軸受33が円滑に回転し、軸支持装置3はケーシング11と上蓋13の間に密封され、閉じ込まれるように設けられる。 
【００２６】
そこで、モータ1の回転軸12は、軸吊リ式の軸として、軸支持装置3に設けられ、その主な重量負荷は同じく、軸支持装置3内のスラスト軸受33に支持され、連結するポンプ2の回転軸22の重量負荷までも、スラスト軸受33に支持されるように設けられ、それで同じく、回転軸12の回転による摩損が改善され、水中ポンプの使用寿命が延びる。 
【００２７】
前記軸支持装置3は図4に示すように、ポンプ2の下端にある吸入口20にも設けられるが、その主要構造は、その中にボール軸受32とスラスト軸受33を備え、ポンプ2の下端に固定される軸受台31が設けられ、該ボール軸受32とスラスト軸受33の内孔には同じく、ポンプ2の回転軸22が入り込み、嵌め込まれるためのブッシュ34が設けられ、そして、同じく、ブッシュ34の下端にある調整ネジブッシュ35及び回転軸22の先端は螺合され、調整ネジブッシュ35を固定ネジ38で、ブッシュ34に締め付けるように設けられ、該調整ネジブッシュ35と回転軸22の間の螺合、調整により、該回転軸22は上昇下降して、最適な位置に上下調整できるようになり、その上にある羽根車はそれに応じて、ポンプ2内に最適なところに位置づけられ、取付の時に調整可能な利便性がある。
【００２８】
前記軸支持装置3は更に、ポンプ2の下端にあり、水の中に浸かるように設けられ、水を軸受台31内に流入させないように、軸受台31の下端は底蓋36で密閉され、その上端には、回転軸22が入り込むための上蓋37が取り付けられ、密封され、軸受台31内のブッシュ34と上蓋37の間には、水を軸受台31内に流入させないための軸封ユニット5で密閉状に設けられ、ボール軸受32とスラスト軸受33が円滑に回転するように設けられ、そこで、ポンプ2の回転軸22全体の主な重量負荷は同じく、軸支持装置3のスラスト軸受33に支持され、該回転軸22と連結するモータ1の回転軸12がかかる負荷も、スラスト軸受33によって支持されているから、軸支持装置3にて、回転軸22で生じる回転の摩損が改善される。
【００２９】
上述したように、モータ1とポンプ2の間に、またはモータ1の上端に、またはポンプ2の下端に設けられる軸支持装置3は、一箇所に設けられるほかに、かかる負荷及びそのニーズに応じて、 二箇所または三箇所に同時に設けられてもよく、それによって、水中ポンプの回転軸の回転部位の使用寿命が延び、面倒な保守点検作業が大幅に低減される。
【符号の説明】
【００３０】
１  モータ
１０  外筒体
１１  ケーシング
１２  回転軸
１２１  溝付軸部
２  ポンプ
２０  吸水口
２１  ケーシング
２２  回転軸
３  軸支持装置
３１  軸受台
３２  ボール軸受
３３  スラスト軸受
３４  ブッシュ
３５  調整ネジブッシュ
３５１  溝付軸部
３６  底蓋
３７  上蓋
３８  固定ネジ
４  カップリング
５  軸封ユニット
【図１】
2020084803.tif 000003
【図２】
2020084803.tif 000004
【図３】
2020084803.tif 000005
【図４】
2020084803.tif 000006